(57)【要約】【課題】簡素な構成で耐久性に優れるアーム受け部を備える洗浄機を提供する。【解決手段】食器を洗浄する洗浄室３の一部を画成すると共に、洗浄機本体２に対して上下方向に移動可能に設けられるドア７と、ドア７の側面７ａ，７ａに沿って配置されると共に、洗浄機本体２に支持される基端部を回動軸として回動可能に設けられる回動アーム８Ｂ，８Ｂと、ドア７に設けられており、回動方向へ移動する回動アーム８Ｂ，８Ｂを受けてドア７を昇降方向へ移動させるアーム受け部５０と、を備える。アーム受け部５０は、ドア７の側面７ａ，７ａから突出するように延在する第一軸部５１及び第二軸部５２と、第一軸部５１の延在方向を回転軸として第一軸部５１の回りを回転可能に設けられると共に、回動アーム８Ｂ，８Ｂの回動時に回動アーム８Ｂ，８Ｂに接触するカラー部材５５と、を有している。【選択図】図４
2020093078.tif 000002
【特許請求の範囲】
【請求項１】
被洗浄物を洗浄する洗浄室の一部を画成すると共に、洗浄機本体に対して上下方向に移動可能に設けられる蓋体と、
前記蓋体の外面に沿って配置されると共に、前記洗浄機本体に支持される基端部を回動軸として回動可能に設けられる回動アームと、
前記蓋体に設けられており、回動方向へ移動する前記回動アームを受けて前記蓋体を昇降方向へ移動させるアーム受け部と、を備え、
前記アーム受け部は、
前記蓋体の外面から突出するように延在する軸部と、
前記軸部の延在方向を回転軸として前記軸部の回りを回転可能に設けられると共に、前記回動アームの回動時に前記回動アームに接触する回転部と、を有している、洗浄機。
【請求項２】
前記回転部は、前記軸部に外挿されている外挿部材である、請求項１記載の洗浄機。
【請求項３】
前記軸部は、前記昇降方向において前記回動アームを挟むように配置される第一軸部と第二軸部とを有しており、
前記第一軸部は、前記第二軸部よりも前記昇降方向における上方に設けられ、
前記回転部は、前記第一軸部に設けられている、請求項１又２記載の洗浄機。
【請求項４】
被洗浄物を洗浄する洗浄室の一部を画成すると共に、洗浄機本体に対して上下方向に移動可能に設けられる蓋体と、
前記蓋体の外面に沿って配置されると共に、前記洗浄機本体に支持される基端部を回動軸として回動可能に設けられる回動アームと、
前記蓋体に設けられており、回動方向へ移動する前記回動アームを受けて前記蓋体を昇降方向へ移動させるアーム受け部と、を備え、
前記アーム受け部は、前記蓋体の外面から突出するように延在しており、
前記アーム受け部の少なくとも外表面は、前記回動アームとの摺動性を高める高摺動性材料によって形成されている、洗浄機。
【請求項５】
前記アーム受け部の少なくとも外表面は、超高分子量ポリエチレン樹脂、ポリアセタール樹脂、又は高密度ポリエチレン樹脂からなる前記高摺動性材料によって形成されている、請求項４記載の洗浄機。
【請求項６】
前記アーム受け部は、
前記蓋体の外面から突出するように延在する軸部と、
前記軸部に外挿されている外挿部材と、を有し、
前記外挿部材が、前記高摺動性材料から形成されている、請求項４又は５記載の洗浄機。
【請求項７】
前記アーム受け部は、前記昇降方向において前記回動アームを挟むように配置される第一軸部と第二軸部とを有しており、
前記第一軸部は、前記第二軸部よりも前記昇降方向における上方に設けられ、
前記第一軸部の少なくとも外表面は、前記高摺動性材料から形成されている、請求項４〜６の何れか一項記載の洗浄機。
【発明の詳細な説明】
【技術分野】
【０００１】
本発明は、洗浄機に関する。
【背景技術】
【０００２】
食器等の被洗浄物を洗浄する洗浄機が知られている。例えば、特許文献１には、ハンドルの上げ下げによりドアを移動させて洗浄室の開閉を行ういわゆるドアタイプの食器洗浄機が開示されている。特許文献１に記載の食器洗浄機では、蓋体（ケーシング蓋体）を取り囲むように回動アーム（ドアハンドル）が設けられている。ドアハンドルの基端部は、洗浄槽の背面に配設したリアフレームに回動可能に軸支されている。回動アームの先端側の一部は、回動アームの回動方向への移動を蓋体の上下方向への移動と連動させるためのアーム受け部（リンク機構）を介して蓋体の側面に連結されている。
【先行技術文献】
【特許文献】
【０００３】
【特許文献１】特開平１１−１２８１４４号公報
【発明の概要】
【発明が解決しようとする課題】
【０００４】
上記従来の洗浄機におけるアーム受け部は、リンク機構として構成されるので部品点数が多く複雑な構成となっている。また、蓋体は開け閉めが繰り返されるので、上記アーム受け部は、耐久性に優れていることが望まれている。
【０００５】
そこで、本発明は、簡素な構成で耐久性に優れるアーム受け部を備える洗浄機を提供することを目的とする。
【課題を解決するための手段】
【０００６】
本発明に係る洗浄機は、被洗浄物を洗浄する洗浄室の一部を画成すると共に、洗浄機本体に対して上下方向に移動可能に設けられる蓋体と、蓋体の外面に沿って配置されると共に、洗浄機本体に支持される基端部を回動軸として回動可能に設けられる回動アームと、蓋体に設けられており、回動方向へ移動する回動アームを受けて蓋体を昇降方向へ移動させるアーム受け部と、を備え、アーム受け部は、蓋体の外面から突出するように延在する軸部と、軸部の延在方向を回転軸として軸部の回りを回転可能に設けられると共に、回動アームの回動時に回動アームに接触する回転部と、を有している。
【０００７】
この構成の洗浄機では、アーム受け部が軸部と回転部とによって構成されるので、リンク機構等によって構成されるアーム受け部と比べて部品点数を削減することができる。これにより、アーム受け部を簡素な構成とすることができる。また、軸部には軸部に対して回転可能な回転部が設けられるので、回動アームの回動運動を蓋体の昇降運動に伝達させるときの回動アームとアーム受け部との摺接を抑制できる。これにより、摺接による部品の摩耗を抑制できるので、耐久性を高めることができる。
【０００８】
本発明の洗浄機では、回転部は、軸部に外挿されている外挿部材であってもよい。この構成では、容易に回転部を構成することができる。
【０００９】
本発明の洗浄機では、軸部は、昇降方向において回動アームを挟むように配置される第一軸部と第二軸部とを有しており、第一軸部は、第二軸部よりも昇降方向における上方に設けられ、回転部は、第一軸部に設けられていてもよい。この構成では、回動アームの下方から上方への回動運動及び上方から下方への回動運動の両方を蓋体の昇降運動として効率的に伝達し易くなる。
【００１０】
本発明の洗浄機では、被洗浄物を洗浄する洗浄室の一部を画成すると共に、洗浄機本体に対して上下方向に移動可能に設けられる蓋体と、蓋体の外面に沿って配置されると共に、洗浄機本体に支持される基端部を回動軸として回動可能に設けられる回動アームと、蓋体に設けられており、回動方向へ移動する回動アームを受けて蓋体を昇降方向へ移動させるアーム受け部と、を備え、アーム受け部は、蓋体の外面から突出するように延在しており、アーム受け部の少なくとも外表面は、回動アームとの摺動性を高める高摺動性材料によって形成されている。
【００１１】
この構成の洗浄機では、アーム受け部が軸部のみで構成されるので、リンク機構等によって構成されるアーム受け部と比べて部品点数を削減することができる。これにより、アーム受け部を簡素な構成とすることができる。また、軸部は、回動アームとの摺動性を高める高摺動性材料によって形成されているので、回動アームの回動運動をドアの昇降運動に伝達させるときの回動アームとアーム受け部との摩擦を抑制できる。これにより、上記摩擦による部品の摩耗を抑制できるので、アーム受け部の耐久性を高めることができる。
【００１２】
本発明の洗浄機では、アーム受け部の少なくとも外表面は、超高分子量ポリエチレン（ＵＨＭＷＰＥ）樹脂、ポリアセタール（ＰＯＭ）樹脂、又は高密度ポリエチレン（ＨＤＰＥ）樹脂からなる高摺動性材料によって形成されていてもよい。これにより、耐久性又はコストパフォーマンスに優れ、回動アームとの摺動性を高めることができるアーム受け部を提供できる。
【００１３】
本発明の洗浄機では、アーム受け部は、蓋体の外面から突出するように延在する軸部と、軸部に外挿されている外挿部材と、を有し、外挿部材が、高摺動性材料から形成されていてもよい。これにより、少なくとも外表面が高摺動性材料によって形成されているアーム受け部を容易に構成することができる。
【００１４】
本発明の洗浄機では、アーム受け部は、昇降方向において回動アームを挟むように配置される第一軸部と第二軸部とを有しており、第一軸部は、第二軸部よりも昇降方向における上方に設けられ、第一軸部の少なくとも外表面は、高摺動性材料から形成されていてもよい。この構成では、回動アームの下方から上方への回動運動及び上方から下方への回動運動の両方を蓋体の昇降運動として効率的に伝達し易くなる。
【発明の効果】
【００１５】
本発明によれば、簡素な構成で耐久性に優れるアーム受け部を備える洗浄機を提供することができる。
【図面の簡単な説明】
【００１６】
【図１】図１は、第一実施形態に係る食器洗浄機の斜視図である。
【図２】図２は、第一実施形態に係る食器洗浄機の概略構成を示す断面図である。
【図３】図３（ａ）は、図１のドアに設けられたアーム受け部を拡大して示した斜視図である。図３（ｂ）は、アーム受け部を示した斜視図である。
【図４】図４は、図３（ｂ）のアーム受け部の側面図である。
【図５】図５（ａ）〜図５（ｃ）は、ドアを開閉する際の回動アーム及びアーム受け部の動作を示した遷移図である。
【図６】図６（ａ）は、第二実施形態に係るアーム受け部を示した斜視図である。図６（ｂ）は、図６（ａ）のアーム受け部の側面図である。
【発明を実施するための形態】
【００１７】
以下、添付図面を参照して、本発明の好適な実施形態について詳細に説明する。なお、図面の説明において同一又は相当要素には同一符号を付し、重複する説明は省略する。以下の説明においては、図１で規定する方向（上下方向、前後方向、左右方向）を説明に用いる。
【００１８】
（第一実施形態）
図１及び図２に示されるように、食器洗浄機（洗浄機）１は、ステンレス製のパネルで覆われた洗浄機本体２を有している。洗浄機本体２は、洗浄室３が形成される上側部分２Ａと、機械室４が形成される下側部分２Ｂとに仕切られている。洗浄機本体２は、支柱６を有している。支柱６は、洗浄機本体２の背面側におけるコーナ部に、上側部分２Ａと下側部分２Ｂとに渡って上下方向に延びるように配置されている。背面パネル５は、支柱６，６間に配置されている。洗浄機本体２の底面の四隅には脚部９が取り付けられている。洗浄機本体２の側面には、食器洗浄機１を操作する操作パネル（図示せず）が設けられている。
【００１９】
洗浄機本体２の上側部分２Ａには、洗浄室３を画成又は開放するためのドア（蓋体）７が設けられている。ドア７は、洗浄水タンク１５の上方において閉位置Ｐ１（図５（ａ）参照）と閉位置Ｐ１よりも上方の開位置Ｐ２（図５（ｃ）参照）との間で昇降可能（移動可能）に設けられている。具体的には、ドア７は、ステンレス製の一対の支柱６，６により上下動自在に案内されると共に、前方において水平方向に延在するハンドル８Ａによって上下動される。閉位置Ｐ１は、ドア７が閉じられて洗浄室３が画成されるときの位置であり、食器（被洗浄物）が洗浄（洗浄運転及びすすぎ運転）されるときの位置でもある。開位置Ｐ２は、ドア７が開けられて洗浄室３が開放されるときの位置であり、食器を収容したラックＲが出し入れされるときの位置である。
【００２０】
ハンドル８Ａの両端には左右一対の回動アーム８Ｂ，８Ｂの先端部が固定されている。回動アーム８Ｂ，８Ｂは、ドア７の外面の一部である側面７ａ，７ａに沿って斜め方向に延在している。回動アーム８Ｂ，８Ｂの先端部とは反対側の基端部は、ドア７の後方に配置される支柱６，６に軸支されている。回動アーム８Ｂ，８Ｂは、基端部を回動軸として回動可能に設けられている。ハンドル８Ａ及び回動アーム８Ｂ，８Ｂは、平面視においてコ字状に形成されている。
【００２１】
ドア７の側面７ａ，７ａには、回動方向へ移動する回動アーム８Ｂ，８Ｂを受けてドア７を、ドア７の昇降方向である上下方向へ移動させるアーム受け部５０が設けられている。図３（ａ）、図３（ｂ）及び図４に示されるように、アーム受け部５０は、第一軸部（軸部）５１と、第二軸部（軸部）５２と、連結部５３と、カラー部材（回転部）５５と、を有している。第一軸部５１と、第二軸部５２と、連結部５３とは、ＡＢＳ樹脂等の樹脂材料によって一体的に形成されている。
【００２２】
第一軸部５１は、一方向に延在する円柱形の部材である。第一軸部５１は、連結部５３から突出すように延在している。第一軸部５１の先端側は、ドア７の側面７ａに固定するボルト５７を螺合させるためのネジ溝５７ａが形成されている。第二軸部５２は、第一軸部５１と間隔をあけて配置されており、第一軸部５１と同様に、連結部５３から突出すように延在している。第二軸部５２も、一方向に延在する円柱形の部材である。第二軸部５２の先端側も、ドア７の側面７ａに固定するボルト５７を螺合させるためのネジ溝５７ａが形成されている。連結部５３は、第一軸部５１及び第二軸部５２のベースとなる部材であり、平板状の部材である。連結部５３は、第一軸部５１と第二軸部５２とを連結する部材であるとも言える。第一軸部５１及び第二軸部５２は、例えば、アクリロニトリル・ブタジエン・スチレン共重合（ＡＢＳ）樹脂又はポリプロピレン（ＰＰ）樹脂等の材料から形成されている。
【００２３】
第一軸部５１には、第一軸部５１の延在方向を回転軸として第一軸部５１の回りを回転可能に設けられると共に、回動アーム８Ｂの回動時に回動アーム８Ｂに接触するカラー部材５５が設けられている。カラー部材５５は、円筒状の部材であり、第一軸部５１に外挿される外挿部材である。カラー部材５５は、カラー部材５５の外周面が回動アーム８Ｂとの摺動性に優れるような材料が選択される。カラー部材５５は、例えば、超高分子量ポリエチレン（ＵＨＭＷＰＥ）樹脂、ポリアセタール（ＰＯＭ）樹脂、又は高密度ポリエチレン（ＨＤＰＥ）樹脂等、摺動性の高い樹脂材料から形成されている。カラー部材５５の内径は、第一軸部５１の外径よりも僅かに大きくなるように形成されている。第二軸部５２には、第一軸部５１に外挿されるようなカラー部材５５は外挿されていない。すなわち、第二軸部５２の外周面は露出している。なお、第二軸部５２の外周面は、回動アーム８Ｂとの摺動性が良好となるような表面処理が施されてもよい。
【００２４】
アーム受け部５０は、第一軸部５１及び第二軸部５２がドア７の側面７ａから突出するような状態となるように、かつ、連結部５３がドア７の側面７ａに略平行となるように、ドア７の側面７ａに固定される。アーム受け部５０がドア７の側面７ａに取り付けられた状態において、第一軸部５１及び第二軸部５２は、左右方向に延在している。アーム受け部５０は、第一軸部５１及び第二軸部５２が、上下方向において回動アーム８Ｂを挟み込むように、ドア７の側面７ａに固定される。第一軸部５１は、第二軸部５２よりも上下方向において上方に配置される。カラー部材５５は、二つの軸部のうち、上方に配置される軸部（第一軸部５１）に設けられている。すなわち、回動アーム８Ｂを下方から上方に回動させる際に接触する第一軸部５１にカラー部材５５が設けられている。回動アーム８Ｂは、第一軸部５１と第二軸部５２と連結部５３とドア７の側面７ａとによって囲まれる領域Ｓを通過するように配置されている。
【００２５】
閉位置Ｐ１においてドア７が洗浄水タンク１５を覆うとき、ドア７の内側には洗浄室３が形成される。このような洗浄室３の上部には、放射状に延びる３本のアームからなる上側洗浄ノズル１２Ａと、２本のアームからなる上側すすぎノズル１３Ａと、がそれぞれ回転自在に配置されている。同様に、洗浄室３の下部には、放射状に延びる３本のアームからなる下側洗浄ノズル１２Ｂと、２本のアームからなる下側すすぎノズル１３Ｂと、がそれぞれ回転自在に配置されている。食器ラックに並べられた食器は、上側洗浄ノズル１２Ａ及び下側洗浄ノズル１２Ｂによって上下から洗浄水が噴射され、上側すすぎノズル１３Ａ及び下側すすぎノズル１３Ｂによって上下からすすぎ水が噴射される。
【００２６】
洗浄室３の底部には、洗浄水タンク１５が設けられている。洗浄室３と洗浄水タンク１５との間には、フィルタ１８が着脱自在に配置されている。洗浄水タンク１５の前面には、洗浄水吸込口を介して洗浄ポンプ２３が接続されている。洗浄ポンプ２３は、機械室４に配置されている。洗浄ポンプ２３の吐出口には洗浄水吐出管２１が接続されている。洗浄水吐出管２１は、第一洗浄水吐出管２１Ａと第二洗浄水吐出管２１Ｂとに分岐して、第一洗浄水吐出管２１Ａは上側洗浄ノズル１２Ａに接続され、第二洗浄水吐出管２１Ｂは下側洗浄ノズル１２Ｂに接続されている。
【００２７】
洗浄室３における下側洗浄ノズル１２Ｂ及び下側すすぎノズル１３Ｂの上方には、飲食後の皿や茶碗等の食器が並べられた格子状のラックＲが載置されるラックレール１１が配置されている。ラックレール１１は、ステンレス鋼によって形成される枠体であり、食器洗浄機１に着脱自在に取り付けられている。
【００２８】
機械室４には、外部から給水管２２Ａを介してすすぎ水が供給されるすすぎ水タンク２５が配置されている。すすぎ水タンク２５には、すすぎ水吸込管２９を介してすすぎポンプ２７が接続されている。すすぎポンプ２７の吐出口にはすすぎ水吐出管３１が接続されている。すすぎ水吐出管３１は、第一すすぎ水吐出管３１Ａと第二すすぎ水吐出管３１Ｂとに分岐して、第一すすぎ水吐出管３１Ａは上側すすぎノズル１３Ａに接続され、第二すすぎ水吐出管３１Ｂは下側すすぎノズル１３Ｂに接続されている。第一すすぎ水吐出管３１Ａは、第一洗浄水吐出管２１Ａ内に配置されている。すなわち、第一洗浄水吐出管２１Ａ及び第一すすぎ水吐出管３１Ａは、二重管構造を成している。
【００２９】
機械室４内には、食器洗浄機１の動作全般を制御するコントローラが内蔵された電装ボックス９０等が収容されている。
【００３０】
次に、主に図５（ａ）〜図５（ｃ）を用いながら、食器洗浄機１のドア７の開閉動作について説明する。図５（ａ）に示されるように、閉位置Ｐ１に位置するドア７を開放する場合、作業者は、ハンドル８Ａを握り、ハンドル８Ａを上方に向けて回動する。これにより、ハンドル８Ａに接続される回動アーム８Ｂ，８Ｂは、アーム受け部５０の第一軸部５１に外挿されたカラー部材５５（図３（ａ）及び図３（ｂ）参照）に接触する。回動アーム８Ｂ，８Ｂによって接触されるカラー部材５５は、回動アーム８Ｂ，８Ｂによって下方から支持され、上方に持ち上げられる。この結果、図５（ｂ）及び図５（ｃ）に示されるように、回動アーム８Ｂ，８Ｂは、アーム受け部５０に一体的に設けられたドア７を上方に移動させる。
【００３１】
図５（ａ）に示される閉位置Ｐ１に位置するドア７を、図５（ｂ）に示される位置Ｐ３にまで移動させるとき、回動アーム８Ｂ，８Ｂは、アーム受け部５０に対して相対的な移動をする。言い換えれば、アーム受け部５０は、回動アーム８Ｂに沿って回動アーム８Ｂの基端側（支柱６側）に移動する。このとき、アーム受け部５０に設けられたカラー部材５５は、アーム受け部５０に対する回動アーム８Ｂの上方の移動に伴って半時計回りに回転する。そして、図５（ｂ）に示される位置Ｐ３までドア７が移動すると、カラー部材５５の回転が一旦停止する。
【００３２】
図５（ｂ）に示される位置Ｐ３に位置するドア７を、図５（ｃ）に示される開位置Ｐ２にまで移動させるときも、上述したように、回動アーム８Ｂ，８Ｂは、アーム受け部５０に対して相対的な移動をする。ここでは、アーム受け部５０は、回動アーム８Ｂに沿って回動アーム８Ｂの先端側（ハンドル８Ａ側）に移動する。このとき、アーム受け部５０に設けられたカラー部材５５は、アーム受け部５０に対する回動アーム８Ｂの移動に伴って時計回りに回転する。
【００３３】
なお、図５（ｃ）に示される開位置Ｐ２にあるドア７を図５（ａ）に示される閉位置Ｐ１に戻すときには、ドア７の自重によりドア７は下降する。したがって、回動アーム８Ｂ，８Ｂの回動運動によってドア７を下降させるわけではないので、基本的に回動アーム８Ｂ，８Ｂが第二軸部５２に接触することはない。ただし、ドア７を急速に下降させる場合には、回動アーム８Ｂ，８Ｂの下面が第二軸部５２の上面に接触すると共に、回動アーム８Ｂ，８Ｂが第二軸部５２を押し下げ、アーム受け部５０に一体的に設けられたドア７を下方に移動させる。
【００３４】
上記第一実施形態の食器洗浄機１では、図３（ｂ）に示されるように、アーム受け部５０が第一軸部５１、第二軸部５２、連結部５３、及びカラー部材５５によって構成されるので、リンク機構等によって構成されるアーム受け部と比べて部品点数を削減することができる。これにより、アーム受け部５０を簡素な構成とすることができる。また、第一軸部５１には第一軸部５１に対して回転可能なカラー部材５５が設けられるので、回動アーム８Ｂ，８Ｂの回動運動をドア７の昇降運動に伝達させるときの回動アーム８Ｂ，８Ｂとアーム受け部５０との摺接を抑制できる。これにより、上記摺接による部品の摩耗を抑制できるので、耐久性を高めることができる。
【００３５】
ここで、第一軸部５１にカラー部材５５が外挿されていない場合、第一軸部５１は、回動アーム８Ｂの外周面を回動アーム８Ｂの基端側に摺動する。第一軸部５１が回動アーム８Ｂの外周面を回動アーム８Ｂの基端側に摺動すると、摩耗等の問題が生じる。また、第一軸部に摺動性を高める表面処理が施されている場合には、経年変化によって当該機能が低下する。この場合には、ハンドル８Ａを上下させるのに強い力が必要となる。更には、第一軸部５１と回動アーム８Ｂとの摺接によって異音が生じることもある。第一実施形態では、上述したとおり、第一軸部５１に回転自在のカラー部材５５が外挿されているので、第一軸部５１が回動アーム８Ｂの外周面を基端側に摺動することはない。したがって、摩耗及び経年変化による不具合の発生を防止することができる。
【００３６】
第一実施形態の食器洗浄機１では、第一軸部５１の延在方向を回転軸として第一軸部５１の回りを回転可能に設けられる回転部として、第一軸部５１に外挿されるカラー部材５５が採用されている。この構成では、容易に回転部を構成することができる。
【００３７】
第一実施形態の食器洗浄機１では、上下方向において回動アーム８Ｂを挟むように第一軸部５１と第二軸部５２とが設けられている。この構成では、回動アーム８Ｂの下方から上方への回動運動及び上方から下方への回動運動の両方をドア７の昇降運動として効率的に伝達し易くなる。
【００３８】
第一実施形態の食器洗浄機１では、アーム受け部５０が、第一軸部５１と第二軸部５２と連結部５３とが一体的に形成されている。これにより、このようなアーム受け部５０を、回動アーム８Ｂを挟み込むようにアーム受け部５０をドア７の側面７ａに取り付けるだけの簡易な作業で、回動アーム８Ｂの移動とドア７の移動とを連動させることができる。
【００３９】
第一実施形態の食器洗浄機１では、カラー部材５５が、超高分子量ポリエチレン（ＵＨＭＷＰＥ）樹脂、ポリアセタール（ＰＯＭ）樹脂、又は高密度ポリエチレン（ＨＤＰＥ）樹脂等、摺動性の高い樹脂材料から形成されている。これにより、仮に何らかの不具合でカラー部材５５が回転しない場合であっても、回動アーム８Ｂ，８Ｂの回動運動をドア７の昇降運動に伝達させるときの回動アーム８Ｂ，８Ｂとアーム受け部５０との摩擦を抑制できる。これにより、上記摩擦による部品の摩耗を抑制できるので、アーム受け部の耐久性を高めることができる。
【００４０】
（第二実施形態）
次に、主に、図６を用いて第二実施形態について説明する。なお、第二実施形態では、第一実施形態と異なる部分のみ詳細に説明し、同じ部分の説明を省略する。第一実施形態の食器洗浄機１では、第一軸部５１に回転部材としてのカラー部材５５が外挿されている構成のアーム受け部５０を備える例を挙げて説明したが、第二実施形態に係る食器洗浄機１は、ＡＢＳ樹脂又はＰＰ樹脂等からなる第一軸部５１に代えて、超高分子量ポリエチレン（ＵＨＭＷＰＥ）樹脂、ポリアセタール（ＰＯＭ）樹脂、又は高密度ポリエチレン（ＨＤＰＥ）樹脂からなる高摺動性材料から形成される第一軸部１５１を設けられると共に、図６（ａ）及び図６（ｂ）に示されるように、当該第一軸部１５１には回転部材としてのカラー部材が外挿されない構成のアーム受け部１５０を備えている。なお、第二軸部５２、連結部５３及びボルト５７の構成は、第一実施形態と同様であるので詳細な説明は省略する。
【００４１】
アーム受け部１５０を備える変形例に係る食器洗浄機１では、図３（ｂ）に示されるように、アーム受け部１５０が第一軸部１５１、第二軸部５２、及び連結部５３によって構成されるので、リンク機構等によって構成されるアーム受け部と比べて部品点数を削減することができる。これにより、アーム受け部１５０を簡素な構成とすることができる。また、第一軸部１５１は、回動アーム８Ｂ，８Ｂとの摺動性を高める高摺動性材料によって形成されているので、回動アーム８Ｂ，８Ｂの回動運動をドア７の昇降運動に伝達させるときの回動アーム８Ｂ，８Ｂとアーム受け部１５０との摩擦を抑制できる。これにより、上記摩擦による部品の摩耗を抑制できるので、アーム受け部１５０の耐久性を高めることができる。
【００４２】
以上、本発明の一実施形態について説明してきたが、本発明は必ずしも上述した第一実施形態及び第二実施形態に限定されるものではなく、その要旨を逸脱しない範囲で様々な変更が可能である。
【００４３】
上記第一及び第二実施形態では、ドア７の側面７ａから突出するように延在する軸部として第一軸部５１と第二軸部５２とが設けられている例を挙げて説明したが、一つの軸部のみを備えていてもよい。この場合、軸部は、回動アーム８Ｂを下方から上方に回動させる際に接触する位置に設けられる。軸部には、第一実施形態の第一軸部５１と同様に、カラー部材が外挿され、軸部の先端には、カラー部材が軸部から抜け出ることを規制する規制部材が設けられるか、又は、軸部は、第二実施形態の第一軸部１５１と同様に、高摺動性材料から形成される。
【００４４】
上記第一実施形態では、カラー部材５５は、第一軸部５１にのみ外挿されている例を挙げて説明したが、第二軸部５２にも外挿されてもよい。
【００４５】
上記第一実施形態では、アーム受け部５０の第一軸部５１に高摺動性材料によって形成されたカラー部材５５が回転可能に設けられている例を挙げて説明したが、例えば、カラー部材５５は、当該第一軸部５１に回転不能に設けられてもよい。カラー部材５５は、当該第一軸部５１に圧入されることにより固定されてもよいし、接着剤等によって固定されてもよい。
【００４６】
このような構成により、第二実施形態のアーム受け部１５０のように、第一軸部１５１そのものが高摺動性材料によって形成されている構成と同様の効果を得ることができる。すなわち、回動アーム８Ｂ，８Ｂの回動運動をドア７の昇降運動に伝達させるときの回動アーム８Ｂ，８Ｂとアーム受け部５０との摩擦を抑制できる。この構成では、少なくとも外表面が高摺動性材料によって形成されているアーム受け部５０の第一軸部５１を容易に構成することができる。なお、第二軸部５２についても、第一軸部１５１と同様に、高摺動性材料によって形成されたカラー部材が外挿されていてもよい。
【００４７】
上記第二実施形態では、高摺動性材料の例として、ＵＨＭＷＰＥ樹脂、ＰＯＭ樹脂、又はＨＤＰＥ樹脂を例に挙げて説明したが、回動アーム８Ｂ，８Ｂとの摺動性を高めることができる材料であれば、これらに限定されない。その他の高摺動性材料の例には、ポリアミド（ＰＡ）樹脂、ポリテトラフルオロエチレン（ＰＴＦＥ）樹脂、ポリフェニレンサルファイド（ＰＰＳ）樹脂、及びポリエーテルエーテルケトン（ＰＥＥＫ）樹脂等が含まれる。回動アーム８Ｂ，８Ｂに対する摺動性がＡＢＳ樹脂又はＰＰ樹脂よりも高くなる材料が高摺動性材料として選択されることが好ましい。
【００４８】
上記第一実施形態、第二実施形態及び変形例では、第一軸部５１（軸部）の延在方向を回転軸として第一軸部５１の回りを回転可能に設けられると共に、回動アーム８Ｂ，８Ｂの回動時に回動アーム８Ｂ，８Ｂに接触する回転部として、カラー部材５５が設けられる例を挙げて説明したが、これに限定されない。例えば、第一軸部５１及びカラー部材５５の構成に代えて、ドア７の側面７ａから突出するように延在する回転軸と当該回転軸と共に回転する円柱部材とからなるローラ部材を備える構成としてもよい。この構成であっても、回動アーム８Ｂ，８Ｂの回動運動をドア７の昇降運動に伝達させるときの回動アーム８Ｂ，８Ｂとアーム受け部５０との摺接を抑制できる。
【００４９】
上記第一実施形態、第二実施形態及び変形例では、上方から見た断面視がコ字状の断面形状を有するドア７を例に挙げ、このドア７の外面に沿って、ハンドル８Ａ及び回動アーム８Ｂ，８Ｂがコ字状に配置されている例を挙げて説明したがこれに限定されない。例えば、ハンドル８Ａ及び回動アーム８Ｂは、Ｌ字状に配置される等、形状は問わない。また、例えば、上方から見た断面視がＬ字状のドアを有し、ドアと本体部とで洗浄室を画成するような洗浄機、いわゆる二方開放型ドアを有する洗浄機に適用することもできる。この場合、本体側の一部を回動軸として回動する回動アームの少なくとも上方への回動運動を受けるアーム受け部がＬ字状のドア（二つの側面から形成されるＬ字状のドアの一方）の側面に設けられる。
【００５０】
本発明は、発明の趣旨を逸脱しない範囲で、上記第一実施形態、第二実施形態、上記変形例及びその他の変形例として記載の内容を適宜組み合わせてもよい。
【符号の説明】
【００５１】
１…食器洗浄機（洗浄機）、２…洗浄機本体、６…支柱、７…ドア、７ａ…側面、８Ａ…ハンドル、８Ｂ…回動アーム、５０，１５０…アーム受け部、５１，１５１…第一軸部（軸部）、５２…第二軸部（軸部）、５３…連結部、５５…カラー部材（回転部）、５７…ボルト、Ｓ…領域。
【図１】
2020093078.tif 000003
【図２】
2020093078.tif 000004
【図３】
2020093078.tif 000005
【図４】
2020093078.tif 000006
【図５】
2020093078.tif 000007
【図６】
2020093078.tif 000008